(57)【要約】【課題】ソケットに対する挿入方向に対して交差する方向に光を放出できる照明器具に対応するＬＥＤ電球、および照明方向を簡単に変更できる照明器具を提供する。【解決手段】ソケットに挿入される本体２と、本体２に設けられ、本体２の中心軸線Ｃを中心とする回転方向の位置を変更可能なドーム状のカバー３と、本体２に設けられ、カバー３側に光を放射するＬＥＤ７と、カバー３の内面３Ａに部分的に設けられた反射部材８とを備える。カバー３の回転方向の位置を変更するだけで、ＬＥＤ７から放出される光の放出方向を簡単に変更できる。【選択図】図２
2012009221.tif 000002
【特許請求の範囲】
【請求項１】
ソケットに挿入される本体と、
前記本体に設けられ、前記本体の中心軸線を中心とする回転方向の位置を変更可能なドーム状のカバーと、
前記本体に設けられ、前記カバー側に光を放射するＬＥＤと、
前記カバーの内面に部分的に設けられた反射部材と、を備えるＬＥＤ電球。
【請求項２】
請求項１に記載したＬＥＤ電球の本体が挿入されるソケットと、前記ＬＥＤ電球から放出された光を、前記ソケットに対する前記本体の挿入方向と交差する方向に放出する光放出窓を有するカバー部と、を備える照明器具。
【発明の詳細な説明】
【技術分野】
【０００１】
本発明は、ＬＥＤ電球および照明器具に関する。
【背景技術】
【０００２】
従来より、ソケットに対する挿入方向に対して、直交する方向を照射することが可能な照明器具が提案されている（例えば、特許文献１、２参照）。
【先行技術文献】
【特許文献】
【０００３】
【特許文献１】実用新案登録第３１３７８７１号公報（段落０００８、図１、図６）
【特許文献２】特開２００７−１２２８８号公報（請求項３、図２、図５）
【発明の概要】
【発明が解決しようとする課題】
【０００４】
しかしながら、従来は、ソケットの挿入方向に対して直交する方向を照明することが可能な照明器具に対応するＬＥＤ電球がなかった。このため、ソケットの挿入方向に対して直交する方向を照明することが可能な照明器具に対応するＬＥＤ電球が要望されていた。
【０００５】
本発明は、前述した課題を解決するためになされたものであり、ソケットに対する挿入方向に対して交差する方向に光を放出できる照明器具に対応するＬＥＤ電球、および照明方向を簡単に変更できる照明器具を提供することにある。
【課題を解決するための手段】
【０００６】
本発明のＬＥＤ電球は、ソケットに挿入される本体と、本体に設けられ、本体の中心軸線を中心とする回転方向の位置を変更可能なドーム状のカバーと、本体に設けられ、カバー側に光を放射するＬＥＤと、カバーの内面に部分的に設けられた反射部材と、を備える。
【０００７】
本発明の照明器具は、上記ＬＥＤ電球の本体が挿入されるソケットと、ＬＥＤ電球から放出された光を、ソケットに対する本体の挿入方向と交差する方向に放出する光放出窓を有するカバー部と、を備える。
【発明の効果】
【０００８】
本発明によれば、カバーを回転させるだけで、光の放出方向を変えることができるので、ソケットの挿入方向に対して直交する方向に光を放射できる照明器具に好適なＬＥＤ電球、および照明方向を簡単に変更できる照明器具を提供できる。
【図面の簡単な説明】
【０００９】
【図１】本発明に係る第１実施形態のＬＥＤ電球を示す側断面図
【図２】図１のＡ−Ａ断面図
【図３】本発明に係る第１実施形態の本体における外殻部の第１分割部分および第２分割部分の結合構造を示す斜視図
【図４】（Ａ）は反射部材を右半分に配置した状態を示す断面図、（Ｂ）は反射部材を右斜め上半分に配置した状態を示す断面図、（Ｃ）は反射部材を上半分に配置した状態を示す断面図
【図５】本発明に係る第２実施形態の照明器具を示す側断面図
【図６】本発明に係る第３実施形態の照明器具を示す側断面図
【発明を実施するための形態】
【００１０】
以下、本発明に係る実施形態のＬＥＤ電球および照明器具について、図面を参照して説明する。
（第１実施形態）
図１は、本発明に係る第１実施形態のＬＥＤ電球１を示す。このＬＥＤ電球１は、本体２と、透明部材で形成された半球ドーム状のカバー３とを備えている。本体２は、外殻部４と、外殻部４におけるカバー３の反対側に設けられ、ソケットに挿入される挿入部５とを有している。外殻部４内には、電源装置６と、電源装置６に電気的に接続されたＬＥＤ７とが収容されている。ＬＥＤ７から放射された光は、カバー３側に照射される。
【００１１】
カバー３の内面３Ａには、ＬＥＤ７から放射された光を反射させる反射部材８が設けられている。本実施形態では、図２に示すように、カバー３の内面３Ａを、仮想的に上下に二等分し、その上側の部分（球面の四分の一に相当）に全体的に、反射部材８が設けられている。内面３Ａにおける反射部材８が設けられていない部分には、光が外部に放出される光透過部３Ｂが形成されている。
【００１２】
図２に示す状態では、ＬＥＤ７から放射された光のうち、カバー３の下半分に照射された光は、そのままカバー３の光透過部３Ｂから外部に放出される。また、カバー３の上半分に照射された光は、反射部材８で反射されて下方に照射され、カバー３の下半分から外側に放出される。すなわち、ＬＥＤ７から放射された光は、カバー３の下半分の光透過部３Ｂからのみ、下方に向けて放出される。
【００１３】
また、カバー３は、本体２に対して、ＬＥＤ電球１の中心軸線Ｃを中心とする回転位置を調整可能に取り付けられている。本実施形態では、図３に示すように、本体２の外殻部４が中心軸線Ｃを通る平面によって、第１分割部分４Ａおよび第２分割部分４Ｂに２等分され、これらの第１分割部分４Ａ、および第２分割部分４Ｂが、ねじ９によって結合されている。一方、カバー３は、外殻部４における挿入部５の反対側に、結合部１０によって着脱自在に取り付けられている。これにより、本体２に対するカバー３の中心軸線Ｃを中心とする回転位置を変更できるように構成されている。
【００１４】
すなわち、本体２に対して、カバー３の中心軸線Ｃを中心とする回転位置を変更する場合は、ねじ９による外殻部４の第１分割部分４Ａと第２分割部分４Ｂとの結合強度を低くし、カバー３を中心軸線Ｃを中心として所定の方向に所定の角度だけ回転させた後、ねじ９による第１分割部分４Ａおよび第２分割部分４Ｂの結合強度を高くすることにより、カバー３を本体２に固定する。
【００１５】
カバー３の本体２に対する回転位置を変更し、反射部材８および光透過部３Ｂの位置を変更することにより、光の放出方向を変更できる。例えば、図４（Ａ）に示すように、反射部材８をカバー３の右半分に配置（光透過部３Ｂを左半分に配置）した場合は、ＬＥＤ７から放出された光は、カバー３の左半分からのみ外部に放射される。図３（Ｂ）に示すように、反射部材８をカバー３の斜め右上に配置（光透過部３Ｂを斜め左下に配置）した場合は、光がカバー３の斜め左下からのみ放出され、図３（Ｃ）に示すように、反射部材８をカバー３の上半分に配置（光透過部３Ｂを下半分に配置）した場合は、光がカバー３の下半分からのみ放射される。
【００１６】
（第２実施形態）
図５は、上記ＬＥＤ電球１を適用した第２実施形態の天井埋込型の照明器具２０を示す。この照明器具２０は、上記ＬＥＤ電球１と、ＬＥＤ電球１の挿入部５が斜め下方から挿入され、挿入部５がＬＥＤ７より上側に配置された状態で、ＬＥＤ電球１を保持するソケット２１と、ＬＥＤ電球１の本体２を支持すると共に、カバー３を覆う有底筒状のカバー部２２とを備えている。カバー部２２の下端部には、光放出窓２２Ａが設けられている。この光放出窓２２Ａには、透明部材２３が設けられている。
【００１７】
この照明器具２０は、ＬＥＤ電球１の挿入部５が、ソケット２１に斜め下方から挿入され、ＬＥＤ電球１の中心軸線Ｃが図５中の右上がりに傾斜している。ＬＥＤ電球１におけるカバー３の内面３Ａに設けられた反射部材８は、カバー３の上半分に配置され、光透過部３Ｂは、下半分に配置されている。これにより、ＬＥＤ電球１のＬＥＤ７から放出された光は、カバー３の光透過部３Ｂから下方に放出され、この光が照明器具２０の光放出窓２２Ａから透明部材２３を通して下方に放出される。従って、照明器具２０の下方向を照明できる。
【００１８】
（第３実施形態）
図６は、上記ＬＥＤ電球１を適用した第３実施形態の壁取付型の照明器具３０を示す。この照明器具３０は、上記ＬＥＤ電球１と、ＬＥＤ電球１の挿入部５が直下から挿入され、挿入部５がＬＥＤ７より上に配置された状態で、ＬＥＤ電球１を保持するソケット３１と、ＬＥＤ電球１を全体的に覆う有底筒状のカバー部３２とを備えている。カバー部３２の左側面には、光放出窓３２Ａが設けられている。この光放出窓３２Ａには、透明部材３３が設けられている。
【００１９】
この照明器具３０は、ＬＥＤ電球１の挿入部５が、ソケット３１に対して直下から挿入され、ＬＥＤ電球１の中心軸線Ｃが鉛直方向に配置されている。ＬＥＤ電球１におけるカバー３の内面３Ａに設けられた反射部材８は、図６中のカバー３における右半分に配置され、光透過部３Ｂは左半分に配置されている。これにより、ＬＥＤ電球１のＬＥＤ７から放出された光は、光透過部３Ｂから左方向に放出され、この光が照明器具３０の光放出窓３２Ａから透明部材３３を通して左方向に放出される。従って、照明器具３０の左方向を照明できる。
【００２０】
第１実施形態のＬＥＤ電球１によれば、反射部材８が設けられたカバー３の回転方向の位置を変更するだけで、ＬＥＤ７から放出される光の放出方向を簡単に変更できる。従って、ソケットの挿入方向に対して交差する方向（直交する方向を含む）に光を放出する照明器具に好適なＬＥＤ電球を提供できる。また、反射部材８および光透過部３Ｂの形状、処理方法、材質等の条件を適宜選択することにより、ＬＥＤ７から放射される光を任意の方向に放出できる。
【００２１】
さらに、光の放出方向を変える際に、ＬＥＤ７を移動させる必要がないため、電気的信頼性を向上できる。
【００２２】
また、第２実施形態の照明器具２０および第３実施形態の照明器具３０によれば、ソケット２１およびソケット３１におけるＬＥＤ電球１の挿入部５の挿入方向にかかわらず、任意の方向を照明できる。また、ＬＥＤ電球１を立体的に配置することなく、中心軸線Ｃに交差する方向（直交方向を含む）を照明できる。更に、照明器具２０および照明器具３０の高さが低い場合でも、ＬＥＤ電球１のカバー３の回転位置を変えることにより、照明方向を簡単に変えることができる。
【符号の説明】
【００２３】
１  ＬＥＤ電球
２  本体
３  カバー
７  ＬＥＤ
８  反射部材
２０、３０  照明器具
２１、３１  ソケット
３２  カバー部
３２Ａ  光放出窓
３３  透明部材
Ｃ  中心軸線
【図１】
2012009221.tif 000003
【図２】
2012009221.tif 000004
【図３】
2012009221.tif 000005
【図４】
2012009221.tif 000006
【図５】
2012009221.tif 000007
【図６】
2012009221.tif 000008